(57)【要約】【課題】トノカバーがバックドアの開口部の縁に干渉することを抑制しつつ、ユーザビリティを向上させることが可能なトノカバー構造を提供する。【解決手段】トノカバー１０は、ハッチバックドア車１００の後部に設けられた開口部６を上下方向に開閉するバックドア３とリアシート２との間に張設可能である。滑動子１２は、開口部６とリアシート２との間におけるハッチバックドア車１００の車室側の側面に設けられ、トノカバー１０が張設された状態において、トノカバー１０を下方に付勢しつつ滑動可能に支持する。【選択図】図１
2017193279.tif 000002
【特許請求の範囲】
【請求項１】
自動車のトノカバー構造であって、
前記自動車の後部に設けられた開口部を上下方向に開閉するバックドアと後部座席との間に張設可能なトノカバーと、
前記開口部と前記後部座席との間における前記自動車の車室側の側面に設けられ、前記トノカバーが張設された状態において、前記トノカバーを下方に付勢しつつ滑動可能に支持する滑動子と、を有することを特徴とするトノカバー構造。
【請求項２】
前記滑動子は、前記トノカバーが張設される張設方向とは垂直な方向に延在する支軸と、前記支軸を中心に回転する回転子と、を有することを特徴とする請求項１に記載のトノカバー構造。
【請求項３】
前記トノカバーが張設される張設方向とは垂直な方向に前記トノカバーを横断して配設され、前記トノカバーに当該配設された方向の剛性を高める棒状部材をさらに有することを特徴とする請求項１または２に記載のトノカバー構造。
【請求項４】
前記トノカバーにおける前記滑動子と接触する個所に設けられ、前記滑動子による前記トノカバーの支持を補助する支持補助部をさらに有することを特徴とする請求項１ないし３のいずれか１項に記載のトノカバー構造。
【請求項５】
前記支持補助部は、前記接触する箇所とは異なる箇所よりも厚い縁取り部である、請求項４に記載のトノカバー構造。
【請求項６】
前記滑動子は、前記トノカバーが張設される張設方向とは垂直な方向に延在する支軸と、前記支軸を中心に回転する歯車と、を有し、
前記支持補助部は、前記歯車の歯が挿入される孔である、請求項４に記載のトノカバー構造。
【発明の詳細な説明】
【技術分野】
【０００１】
本発明は、トノカバー構造に関し、特には、ハッチバックドアタイプの乗用自動車用のトノカバー構造に関する。
【背景技術】
【０００２】
上開き式のバックドアを備えるハッチバックドアタイプの自動車などでは、通常、後部座席とバックドアとの間がトノ（tonneau）部と呼ばれる荷物を収容するスペースとなっている。トノ部は、収容している荷物が外部から視認されないように、遮蔽用のシートであるトノカバーで覆われることがある。このような場合、トノカバーによって利用者の荷物の出し入れなどが妨げられないように、トノカバーを巻き取り可能に保持するトノカバー装置が設けられることがある。
【０００３】
トノカバー装置としては、トノカバーを巻き取る巻取軸を備えたケースが自動車の後部座席の背面に設けられ、後部座席側からバックドア側にトノカバーを引き出す構造のものが多いが、それとは逆にバックドアにケースが備わり、バックドア側から後部座席側にトノカバーを引き出す構造のものも知られている。
【０００４】
上開き式のバックドア側から後部座席側にトノカバーを引き出すタイプのトノカバー装置や、後部座席側からトノカバーを引き出して上開き式のバックドア側に係合するタイプのトノカバー装置などでは、バックドアが開いた際に、バックドアと共にトノカバーのバックドア側も上方に移動するため、利用者がトノ部をバックドア側から利用しやすくなるという利点がある。
【０００５】
しかしながら、バックドアにより開閉されるバックドア開口部の幅はトノカバーの幅よりも狭く、特にバックドア開口部の上方部は下方部よりも幅が狭くなっているため、上記のようなトノカバー装置には、バックドアが開いた状態では、トノカバーがバックドア開口部の縁（上縁や側縁）と干渉しやすいという問題がある。トノカバーがバックドア開口部の縁と干渉すると、トノカバーが撓んで皺が形成されるなどして見栄えが悪くなったり、バックドアの開閉が繰り返されることにより干渉が何度も発生して、トノカバーの側縁やバックドア開口部の縁に設けられたウェザーストリップなどが磨耗したりするなどの恐れがある。
【０００６】
これに対して特許文献１には、トノカバーが上側に移動することを規制する規制部を備えたトノカバー装置が記載されている。このトノカバー装置は、後部座席側からトノカバーを引き出し、上開き式のバックドア側に係合するタイプである。トノカバー装置は、バックドアが開いた状態において、バックドアの車室側の両端部におけるトノカバーと係合可能な被係合部よりも下側となる位置に、トノカバーと当接することで、トノカバーが上側に移動するのを規制する規制部が備わっている。これにより、トノカバーが幅狭部分であるバックドア開口部の上方部に接触することを抑制することができるため、トノカバーがバックドア開口部の縁に干渉することを抑制することができる。
【先行技術文献】
【特許文献】
【０００７】
【特許文献１】特開２０１３−２３０９５号公報
【発明の概要】
【発明が解決しようとする課題】
【０００８】
しかしながら、特許文献１に記載の後部荷室構造では、規制部がバックドアに備わっているため、バックドアの開閉に応じて規制部の位置が移動したり、バックドアが開いた状態の時に規制部が高い位置に移動してしまったりする。このため、トノカバーを使用しないときに規制部を有効に利用することができず、ユーザビリティが低い。
【０００９】
本発明の目的は、トノカバーがバックドアの開口部の縁に干渉することを抑制しつつ、ユーザビリティを向上させることが可能なトノカバー構造を提供することである。
【課題を解決するための手段】
【００１０】
本発明によるトノカバー構造は、自動車のトノカバー構造であって、前記自動車の後部に設けられた開口部を上下方向に開閉するバックドアと後部座席との間に張設可能なトノカバーと、前記開口部と前記後部座席との間における前記自動車の車室側の側面に設けられ、前記トノカバーが張設された状態において、前記トノカバーを下方に付勢しつつ滑動可能に支持する滑動子と、を有することを特徴とする。
【００１１】
この場合、滑動子がトノカバーを下方に付勢しつつ滑動可能に支持するため、トノカバーが幅狭部分であるバックドアの開口部の上方部に接触することを抑制することができるため、トノカバーがバックドア開口部の縁に干渉することを抑制することができる。また、滑動子は、開口部と後部座席との間における自動車の車室側の側面に設けられているため、トノカバーを使用しないときに滑動子をコンビニフックやコートフックなどとして有効に利用することが可能になるため、ユーザビリティを向上させることが可能になる。
【００１２】
また、本発明では、前記滑動子は、前記トノカバーが張設される張設方向とは垂直な方向に延在する支軸と、前記支軸を中心に回転する回転子と、を有することが望ましい。この場合、トノカバーを張設したり外したり際に、トノカバーによって回転子が回転するため、トノカバーと滑動子との間の摩擦を低減することが可能になるため、安定したトノカバーの滑動支持を可能にするとともに、トノカバーが磨耗することを抑制してトノカバーの耐久性を向上させることが可能になる。
【００１３】
また、本発明では、前記トノカバーが張設される張設方向とは垂直な方向に前記トノカバーを横断して配設され、前記トノカバーに当該配設された方向の剛性を高める棒状部材を付与するテンション部材をさらに有することが望ましい。この場合、トノカバーの幅方向の長さを一定に保つことが可能になるため、トノカバーの側縁が内側にたるんで、滑動子から外れてしまうことを抑制することが可能になる。
【００１４】
また、本発明では、前記トノカバーにおける前記滑動子と接触する個所に設けられ、前記滑動子による前記トノカバーの支持を補助する支持補助部をさらに有することが望ましい。この場合、トノカバーが滑動子から外れてしまうことを抑制することが可能になる。
【００１５】
また、本発明では、前記支持補助部は、前記接触する箇所とは異なる箇所よりも厚い縁取り部であることが望ましい。トノカバー１０における滑動子と接触する箇所の剛性を高めることが可能になるため、低コストでトノカバーが滑動子から外れることを抑制することが可能になる。
【００１６】
また、本発明では、前記滑動子は、前記トノカバーが張設される張設方向とは垂直な方向に延在する支軸と、前記支軸を中心に回転する歯車と、を有し、前記支持補助部は、前記歯車の歯が挿入される孔であることが望ましい。この場合、歯車の歯をトノカバーの孔にはめることが可能になるため、トノカバーが滑動子から外れることをより確実に抑制することが可能になる。
【発明の効果】
【００１７】
本発明によれば、トノカバーがバックドアの開口部の縁に干渉することを抑制しつつ、ユーザビリティを向上させることが可能になる。
【図面の簡単な説明】
【００１８】
【図１】本発明の一実施形態のトノカバー構造を採用した自動車の要部を示す斜視図である。
【図２】滑動子の詳細な設置場所の一例を示すための図である。
【図３】滑動子の構成の一例を示す図である。
【図４】滑動子における回転機構の一例を示す図である。
【図５】滑動子の効果を説明するための図である。
【図６】支持補助部の一例を示す図である。
【発明を実施するための形態】
【００１９】
以下、本発明の実施形態について図面を参照して説明する。なお、各図面において同じ機能を有するものには同じ符号を付け、その説明を省略する場合がある。
【００２０】
図１は、本発明の一実施形態のトノカバー構造を採用した自動車の要部を示す斜視図である。図１に示す自動車は、ハッチバックドアタイプの乗用自動車であるハッチバックドア車１００であり、荷物を収容するために荷物収容部であるトノ部１を有する。トノ部１は、後部座席であるリアシート２の背面部（リアシートバック）からバックドア３までの空間である。また、ハッチバックドア車１００は、トノ部１の側面部を構成するラゲージサイドトリム４と、トノ部１の底面部を構成するラゲージフロアトリム５とを有する。
【００２１】
バックドア３は、ハッチバックドア車１００の後部に設けられた開口部６の上縁の近傍に軸支され、それにより、開口部６を上下方向に開閉可能にする。開口部６の縁には、バックドア３と開口部６との隙間を埋めるためのウェザーストリップ７が設けられている。なお、図１の例では、バックドア３が開かれた状態のハッチバックドア車１００が示されている。
【００２２】
ハッチバックドア車１００は、トノ部１に収容された荷物を車外から視認されることを抑制するために、トノ部１を覆うシート状のトノカバー１０を有する。トノカバー１０は、例えば、レザーのような遮光性および柔軟性を有するシート材で形成される。なお、レザーには、塩化ビニールレザーやターポリンレザーなどが含まれる。以下では、トノカバー１０はレザーで形成されているものとする。
【００２３】
また、ハッチバックドア車１００は、トノカバー１０を巻き取る巻取装置１１が設けられている。本実施形態では、巻取装置１１は、バックドア３に内包されている。巻取装置１１は、例えば、トノカバー１０を出し入れするための開口が設けられたケース（不図示）と、ケースの内部に回動可能に軸支された、トノカバー１０を巻き取るための巻取軸（不図示）とを有する。また、巻取装置１１は、巻取軸をトノカバー１０を巻き取る方向に付勢する付勢部材（例えば、コイルスプリング）などを有していてもよい。
【００２４】
利用者は、トノカバー１０を利用する際には、トノカバー１０の先端を巻取装置１１から引き出して、リアシート２の背面部に設けられた係合部（不図示）に係止する。これにより、トノカバー１０がバックドア３とリアシート２との間に張設される。トノ部１の高さ方向（車高方向）におけるトノカバー１０が張設される位置は、特に限定されないが、バックドア３が閉められた状態で、トノ部１の天井部とラゲージフロアトリム５との間の中間点または中間点よりも上方であることが望ましい。
【００２５】
以上のようにトノカバー１０を張設することで、利用者がトノ部１を使用するためにバックドア３を開けた際に、巻取装置１１がバックドア３と共に上方に移動するため、トノカバー１０のバックドア３側も高い位置に移動する。このため、利用者はトノ部１を利用しやすくなる。
【００２６】
また、本実施形態では、バックドア３が上向きに開けられた際に、トノカバー１０とバックドア３の開口部６の縁とが干渉することを抑制する干渉抑制機構として滑動子１２が設けられている。滑動子１２は、開口部６とリアシート２との間におけるハッチバックドア車１００の車室側の側面に設けられ、トノカバー１０が張設された状態において、トノカバー１０を下方に付勢しつつ滑動可能に支持する。
【００２７】
図２は、滑動子の詳細な設置場所の例を示すための図であり、ラゲージサイドトリム４とピラーガーニッシュ８との正面図である。
【００２８】
図２に示すピラーガーニッシュ８は、ラゲージサイドトリム４の上方からバックドア３の開口部６に沿って、ハッチバックドア車１００の天井部まで延びるピラーの車室側を装飾する内装材である。ピラーガーニッシュ８は、例えば、オレフィン樹脂やＡＢＳ樹脂などの材料を、射出成形法やスタンプ成形法を用いて、ハッチバックドア車１００の形状に応じた所望の形状に成形された本体部と、骨格部の車室側の表面に貼着された意匠性の表皮材とを含む。
【００２９】
滑動子１２は、バックドア３の開口部６の縁の近傍における、ピラーガーニッシュ８の車室側の表面に設けられている。滑動子１２はピラーガーニッシュ８に後付けされてもよいし、ピラーガーニッシュ８と一体成形されてもよい。滑動子１２とピラーガーニッシュ８とが一体成形されている場合、例えば、滑動子１２は、ピラーガーニッシュ８の車室側の表面から突出（例えば、膨出）した突出部として一体成形される。
【００３０】
滑動子１２の設置位置としては、バックドア３が閉められた状態で、バックドア３に内包された巻取装置１１とリアシート２の背面の上端とを結ぶ直線と、滑動子１２とリアシート２またはバックドア３の背面の上端とを結ぶ直線とが成す角度が小さい方が望ましい。また、利用者の運転中における後方視界確認時に、滑動子１２が利用者の視界に入らないように、なるべく下方に位置する方が望ましい。このため、例えば、滑動子１２の設置位置は、滑動子１２が利用者の視界に入らない範囲において、上記の角度ができるだけ小さくなるように決定される。
【００３１】
図３は、滑動子１２の一例を示す図である。滑動子１２としては、表面が平滑であり、トノカバー１０を滑動させる際に、トノカバー１０が引っ掛かったたり、トノカバー１０に傷を付けたりするような鋭利な角が存在しない形状を有するものが好適であり、図３（ａ）に示すように、円筒形状を有するものが特に好適である。なお、滑動子１２とトノカバー１０との間の摩擦係数（動摩擦係数）は、０．１５以下であることが望ましい。
【００３２】
滑動子１２の高さＨが十分でない場合、滑動子１２とトノカバー１０とに十分なラップ量が得られず、トノカバー１０が滑動子１２から外れてしまう恐れがある。また、滑動子１２の直径Ｄが十分でない場合、滑動子１２に十分な強度が得られず、滑動子１２が破損する恐れがある。このため、滑動子１２には、ある程度の大きさ（高さＨおよび直径Ｄ）が必要となる。例えば、滑動子１２が円柱形状を有する場合、高さＨが約２０〜３０ｍｍ、直径Ｄが１０〜１５ｍｍが望ましい。
【００３３】
また、滑動子１２が延在（突出）する向きとしては、滑動子１２の中心軸Ｇがトノカバー１０の張設される張設方向（すなわち、巻取装置１１がトノカバーを巻き取る巻取方向）Ｘに対して垂直を向くことが望ましい。この場合、トノカバー１０を滑動子１２から外れにくくすることができる。
【００３４】
また、滑動子１２は、トノカバー１０を使用しない場合、レジ袋などを掛けるコンビニフックやコートなどを掛けるコートフックなどのような、他の用途として利用されることを考慮して、他の用途としての利便性が高い形状であることが特に望ましい。また、トノカバー１０を使用せず、さらに滑動子１２を他の用途として利用しないときに、滑動子１２が利用者の行動を妨げないように、ハッチバックドア車１００は、滑動子１２をピラーガーニッシュ８内に収納することが可能な構造を有していてもよい。
【００３５】
滑動子１２は、図３（ａ）に示した円筒形状が望ましいが、円筒形以外の形状でもよい。例えば、滑動子１２は、図３（ｂ）に示すようにＬ字形状を有し、下向きに凸部が形成されるように設置されてもよい。この場合、トノカバー１０が張設された際に、トノカバー１０における滑動子１２の凸部と接触する部分に孔を設け、凸部がその孔に挿入される構成でもよい。この場合、トノカバー１０が滑動子１２から外れにくくすることが可能になる。なお、孔は、張設方向Ｘに沿って延びる長孔でもよい。
【００３６】
また、滑動子１２には、トノカバー１０が滑動子１２を滑動しやすくなるように、滑動子１２を回転させる回転機構が設けられることが望ましい。
【００３７】
図４は、回転機構を有する滑動子１２の一例を示す分解斜視図である。図４に示す滑動子１２は、トノカバー１０が張設される張設方向とは垂直な方向に延在する支軸２１と、支軸２１に軸支される回転可能なローラ状の回転子２２と、回転子２２が支軸２１から抜けることを防止する留め具２３とを有する。支軸２１は、ピラーガーニッシュ８に固定、またはピラーガーニッシュ８と一体成形されている。回転子２２の表面には、トノカバー１０をより滑動しやすくするために、回転子２２の回転方向Ｙに沿って並設された複数の凹凸条が形成されていてもよい。
【００３８】
回転子２２における支軸２１と接触する内周部２２ａの材料は、ＳＵＳ（Steel Special Use Stainless：ステンレス鋼材）またはＰＢＴ樹脂（ポリブチレンテレフタレート樹脂）などが望ましい。回転子２２におけるトノカバー１０と接触する外周部２２ｂは、ゴム系の発泡材またはウレタン系の発泡材などが望ましい。また、回転子２２が十分な強度を得るためには、回転子２２がローラ形状の場合、直径（外径）Ｄ’は１０〜１５ｍｍが望ましい。
【００３９】
図５は、滑動子１２の効果を説明するための図である。図５では、滑動子１２がない場合における巻取装置１１と係合部１４との間に張設されたトノカバー１０と、滑動子１２がある場合における巻取装置１１と係合部１４との間に張設されたトノカバー１０とが示されている。図５に示すように滑動子１２を設けることにより、滑動子１２がないときにトノカバー１０がバックドア３の開口部６と干渉する干渉点Ａを避けてトノカバー１０を張設することができる。
【００４０】
また、本実施形態では、ハッチバックドア車１００は、図１に示すように、トノカバー１０が張設される張設方向Ｘとは垂直な方向にトノカバー１０を横断して配設されたテンションワイヤー１３を備える。テンションワイヤー１３は、トノカバー１０に対して、テンションワイヤー１３が配設された配設方向の剛性を高める棒状部材である。テンションワイヤー１３によりトノカバー１０が緩むことを抑制することができる。
【００４１】
テンションワイヤー１３は、トノカバー１０の中間位置、つまり、トノカバー１０が張設された際に、リアシート２の背面部に設けられた係合部と巻取装置１１との間の位置に配設される。テンションワイヤー１３は、トノカバー１０の表面に接着されていてもよいが、トノカバー１０に内包されることが望ましい。
【００４２】
テンションワイヤー１３をトノカバー１０に内包する手法としては、トノカバー１０が複層構造の場合、２つの層の間にテンションワイヤー１３を挿入する手法が挙げられる。また、トノカバー１０が単層構造の場合、テンションワイヤー１３が露出しないように、被覆材とトノカバー１０とでテンションワイヤー１３を挟み、被覆材をトノカバー１０に接着または溶着する手法が挙げられる。
【００４３】
テンションワイヤー１３の材料は、例えば、ＳＵＳや丸鋼材Ｓ４５Ｃなどを用いて、一定の剛性を有するように形成されることが望ましい。例えば、テンションワイヤー１３は、ＳＵＳを、断面２次モーメントが４．３ｍｍ４以上となるように形成されることが望ましい。また、テンションワイヤー１３の断面形状は、巻取装置１１がトノカバー１０を円滑に巻き取れるように、円形状であることが望ましい。
【００４４】
テンションワイヤー１３が太すぎると、巻取装置１１がトノカバー１０を円滑に巻き取ることが困難になる恐れがあるため、テンションワイヤー１３はある程度細いことが望ましい。例えば、テンションワイヤー１３の断面形状が円形状の場合、テンションワイヤー１３の直径はφ４ｍｍ以下が望ましい。また、テンションワイヤー１３の幅は、トノカバー１０の幅よりも１０ｍｍ程度短いことが好ましい。これは、テンションワイヤー１３をトノカバー１０に内包する際に、テンションワイヤー１３の周囲でトノカバー１０を構成する複層構造の２つの層を接着したり、トノカバー１０を被覆材と接着したりするためには、５ｍｍ程度の接着幅が必要になるためである。
【００４５】
また、本実施形態では、トノカバー１０を滑動子１２から外れにくくするためのはずれ防止部として、トノカバー１０の側縁部に、滑動子１２によるトノカバーの支持を補助する支持補助部を備える。支持補助部は、特にテンションワイヤー１３が滑動子１２に衝突したはずみにトノカバー１０が滑動子１２から外れることを抑制するために、テンションワイヤー１３の先端部近傍に設けられることが望ましい。
【００４６】
図６は、支持補助部の一例を示す図である。図６（ａ）に示す支持補助部は、トノカバー１０における滑動子１２と接触する箇所である側縁部(張設方向Ｘに沿った縁部）に設けられた縁取り部３１で形成される。縁取り部３１は、トノカバー１０の他の部分である一般部３２よりも厚く、この縁取り部３１が滑動子１２の上を滑動するように設けられる。これにより、縁取り部３１は、一般部３２よりも厚いため、トノカバー１０の側縁部の剛性を高めることが可能になり、その結果、トノカバー１０が滑動子１２から外れることを抑制することができる。
【００４７】
また、図６（ｂ）および図６（ｃ）に示す支持補助部は、滑動子１２の回転子２２である歯車３３とトノカバー１０の側縁部に設けられた孔３４とで構成される。この場合、図６（ｂ）に示すように、歯車３３の歯をトノカバー１０の側縁部に設けられた孔３４にはめることが可能になるため、トノカバー１０が滑動子１２から外れることを抑制することが可能になる。
【００４８】
以上説明した各実施形態において、図示した構成は単なる一例であって、本発明はその構成に限定されるものではない。
【符号の説明】
【００４９】
１  トノ部
２  リアシート
３  バックドア
４  ラゲージサイドトリム
５  ラゲージフロアトリム
６  開口部
７  ウェザーストリップ
８  ピラーガーニッシュ
１０  トノカバー
１１  巻取装置
１２  滑動子
１３  テンションワイヤー
１４  係合部
２１  支軸
２２  回転子
２３  留め具
３１  縁取り部
３２  一般部
３３  歯車
３４  孔
１００    ハッチバックドア車
【図１】
2017193279.tif 000003
【図２】
2017193279.tif 000004
【図３】
2017193279.tif 000005
【図４】
2017193279.tif 000006
【図５】
2017193279.tif 000007
【図６】
2017193279.tif 000008